(57)【要約】      （修正有）【課題】サイズ、特に横幅寸法、を限りなく小さくすることができる薄型スイッチを提供する。【解決手段】箱型のハウジング１と、略Ｕ字状に折曲した弾性部材の端部に可動接点を備えた可動接触片４と、上端を前記可動接触片４にシーソー運動させるための支点とした共通端子３と、上端に固定接点を備えた接触端子と、前記可動接触片４を前記支点を中心に傾動させて前記可動接点を前記固定接点に対して離接させる切換操作部材とからなるスイッチにおいて、前記切換操作部材を、前記ハウジング１の中心軸Ｘを含む該ハウジングの側面１ｅと平行に延びる平面Ｐ上に配置した板状の部材のみで形成した。【選択図】図２
0003205644.tif 000002
【実用新案登録請求の範囲】
【請求項１】
上端開口と底壁とを備えた箱型のハウジングと、前記ハウジング内に設けられ、略Ｕ字状に上下に折曲した弾性長尺部材からなる可動接触片と、前記可動接触片の端部に設けた可動接点と、前記ハウジングの底壁に固定され、上端に前記可動接触片にシーソー運動させるための支点となる突起を有する共通端子と、前記ハウジングの底壁に固定され、上端に固定接点を備えた接触端子と、前記ハウジングの前記上端開口内に設けられ、前記可動接触片を前記共通端子の上端の突起を支点として傾動させて前記可動接点を前記固定接点に対して離接させる切換操作部材と、からなるスイッチにおいて、
前記切換操作部材を、前記ハウジングの中心軸を含む該ハウジングの側面と平行に延びる平面上に配置した板状の部材のみで形成したことを特徴とする薄型スイッチ。
【請求項２】
前記切換操作部材を、ロッカースイッチの切換操作部材に適した形状の一枚の板状部材で形成したことを特徴とする請求項１に記載の薄型スイッチ。
【請求項３】
前記切換操作部材を、レバースイッチの切換操作部材に適した形状の一枚の板状部材で形成したことを特徴とする請求項１に記載の薄型スイッチ。
【請求項４】
前記切換操作部材を、押ボタンスイッチの切換操作部材に適した形状の複数枚の板状部材で形成し、前記平面上に並置したことを特徴とする請求項１に記載の薄型スイッチ。
【請求項５】
前記押ボタンスイッチの切換操作部材は、左右両端と下端とを有する略逆三角形状の傾動自在な板状の傾動盤と、該傾動盤の前記左端に係止したＯＮ用の板状の押ボタンと、前記傾動盤の前記右端に係止したＯＦＦ用の板状の押ボタンと、からなることを特徴とする請求項４に記載の薄型スイッチ。
【考案の詳細な説明】
【技術分野】
【０００１】
本考案は、種々の電気・電子装置等の開閉スイッチとして利用可能なスイッチに関し、更に詳しくは、特に横幅寸法を限りなく小型化した薄型スイッチに関する。
【背景技術】
【０００２】
特許文献１には、電気・電子装置等の開閉スイッチの一つであるロッカー（傾動）スイッチの代表的な構成例が示されている。それによると、当該ロッカースイッチは、上端に開放口を備えた有底のハウジンを有し、長尺弾性部材を上下二片の略Ｕ字状に折曲してなる可動接触片をハウジング内に配し、該可動接触片をシーソー運動自在に支える支点を備えた共通端子と固定接点を備えた接触端子とをハウジングの底壁に設け、可動接触片の下片の先端下面側に可動接点を取付け、可動接触片を共通端子の支点を中心として傾動させる操作部材をハウジングの上端開放口内に設けることにより、操作部材を切換操作すると、可動接触片が傾動し、可動接点が固定接点に対して接触又は固定接点から離れて電気・電子回路を閉成又は開成する。
【先行技術文献】
【特許文献】
【０００３】
【特許文献１】特開平２００１−２１０１８６
【考案の概要】
【考案が解決しようとする課題】
【０００４】
特許文献１に示された開閉スイッチは、従来一般の開閉スイッチと同様に、ハウジング及び操作部材の横幅が比較的広く形成されており、それに対応するスペースを確保できる箇所にしか取付けることができなかった。近年、各種電気・電子装置は小型化、軽量化、薄肉化が進んでおり、スイッチ取付けスペースに対する制約は年々厳しくなっている。このような各種電気・電子業界のニーズに十分応えることができる薄型スイッチの出現が要望されている。
【０００５】
本考案の目的は、上述したような電気・電子装置等の開閉スイッチのサイズ、特に横幅寸法、を小型化することにある。
【０００６】
本考案の別の目的は、上述したような電気・電子装置等の開閉スイッチの製造コストを抑制することにある。
【課題を解決するための手段】
【０００７】
本考案に係る薄型スイッチは、上端開口と底壁とを備えた箱型のハウジングと、前記ハウジング内に設けられ、略Ｕ字状に上下に折曲した弾性長尺部材からなる可動接触片と、前記可動接触片の端部に設けた可動接点と、前記ハウジングの底壁に固定され、上端に前記可動接触片にシーソー運動させるための支点となる突起を有する共通端子と、前記ハウジングの底壁に固定され、上端に固定接点を備えた接触端子と、前記ハウジングの前記上端開口内に設けられ、前記可動接触片を前記共通端子の上端の突起を支点として傾動させて前記可動接点を前記固定接点に対して離接させる切換操作部材と、からなるスイッチにおいて、
前記切換操作部材を、前記ハウジングの中心軸を含む該ハウジングの側面と平行に延びる平面上に配置した板状の部材のみで形成した。
【０００８】
また、本考案に係る薄型スイッチは、切換操作部材を、ロッカースイッチの切換操作部材に適した形状に形成した一枚の板状部材のみで形成することができる。
【０００９】
本考案に係る薄型スイッチは、切換操作部材を、レバースイッチの切換操作部材に適した形状に形成した一枚の板状部材のみで形成してもよい。
【００１０】
更に、本考案に係る薄型スイッチは、切換操作部材を、押ボタンスイッチの切換操作部材に適した形状の複数枚の板状部材で形成し、同一平面上に並置した構成としてもよい。この押ボタンスイッチの切換操作部材は、左右両端と下端とを有する略逆三角形状の傾動自在な板状の傾動盤と、該傾動盤の前記左右両端のそれぞれに係止したＯＮ用の板状の押ボタン及びＯＦＦ用の板状の押ボタンと、からなるものとすることもできる。
【考案の効果】
【００１１】
本考案に係る薄型スイッチによれば、切換操作部材切換操作部材が、ハウジングの中心軸を含む該ハウジングの側面と平行に延びる平面上に配置した板状の部材のみで構成されるため、ハウジングの全体寸法、特に横幅寸法の極限までの小型化が可能になる。
【００１２】
また、本考案に係る薄型スイッチによれば、切換操作部材が板状の部材のみで構成されることにより、平板の打ち抜き加工、或は極く単純な構造の金型による射出成形乃至鋳込み成形等により切換操作部材を得ることができるため、従来の複雑な構造の金型を使用した切換操作部材の製造と比較してコストを削減することができる。また、ハウジングの全体寸法を小型化に伴い、切換操作部材とハウジングを成形する材料の使用量を削減することができるため、上記と相俟って、製造コストを大幅に削減することができる。
【図面の簡単な説明】
【００１３】
【図１】本考案の実施例１に係るロッカースイッチのＯＦＦ操作時の内部構造を示す一部断面側面図である。
【図２】図１のロッカースイッチのＡ−Ａ線に沿った断面図である。
【図３】図１のロッカースイッチの正面図である。
【図４】図１のロッカースイッチのＯＮ操作時の図１と同様の図である。
【図５】本考案の実施例２に係るレバースイッチのＯＦＦ操作時の内部構造を示す一部断面側面図である。
【図６】本考案の実施例３に係るボタンスイッチのＯＦＦ操作時の内部構造を示す一部断面側面図である。
【考案を実施するための形態】
【００１４】
図１乃至図４を参照して、本考案に係る薄型スイッチの実施例をロッカースイッチに適用した実施形態について説明する。
【００１５】
図１において、本考案によるロッカースイッチ１０は、図中上端に開口１ａを備えた略直方体形状の箱型のハウジング１を有し、底壁１ｂと、この底壁の４辺を囲む周壁部１ｃとから成る。このハウジング１は適当な合成樹脂材料で形成してよく、例えば、本実施例においては、軽量性、成形容易性、高強度、高耐久性を有するレオナ６６ナイロン樹脂で厚さ１ｍｍ程度の壁厚で成形される。しかし、必要に応じて、例えば、より薄さが要求される場合などは、金属で形成してもよい。
【００１６】
底壁１ｂには、ハウジング１内に延出させた上端に固定接点２ａを有する接触端子２と、ハウジング１内に延出させた上端に突起３ａを形成した共通端子３とが固定されている。各端子２、３は適当な金属材料から形成され得るが、本実施形態においては黄銅で形成される。なお、固定接点２ａには銀を用いている。
【００１７】
共通端子３の突起３ａ上には可動接触片４が該突起３ａを支点としてシーソー運動自在に載置されている。この可動接触片４は、弾力性に優れた素材を使用する。例えば、本実施例では、リン青銅で造られた幅約１ｍｍ程の長尺な素材を上下に略Ｕ字状に折曲して形成しており、下側折曲片４ａの端部下面に可動接点４ｂ備える。この可動接点４ｂは、可動接触片４がシーソー運動をしたときに、接触端子２の固定接点２ａに対して接触又は離反する位置に取り付けられる。なお、本実施例では可動接点４ｂに銀合金を用いている。
【００１８】
ハウジング１上端の開放口１ａ内には、切換操作部材であるロッカーボタン（傾動釦）５が自身の両側面に突設した傾動軸５ａにより傾動自在に設けられている。傾動軸５ａはハウジング１側に突設してもよく、また、別に用意した軸をハウジング１及びロッカーボタン５を貫通させて設けてもよい。
【００１９】
図２に示されるように、本考案においては、このロッカーボタン５を、板状部材で形成し、ハウジング１の中心軸Ｘを含む該ハウジング１の側面１ｅ，１ｅと平行に延びる平面Ｐ上に配置している。素材は、機械的強度の高いものが好ましいため、例えば、本実施例においては、ポリカーボネートで成形し、板厚を１ｍｍ程度としているが、適切な金属を選択することにより、より薄い板厚の素材で構成することも可能である。
【００２０】
ロッカーボタン５は、ハウジング１の底壁１ｂ方向への突出部５ｂを有し、その先端５ｃは、可動接触片４の上下の折曲片４ａ、４ｃ間の弾発力を利用して上側折曲片４ｃの上面に、長手方向に沿ってスライド自在に圧接している。
【００２１】
斯くして構成されたロッカースイッチ１０は、図２及び図３から分かるように、ハウジング１の側面１ｅ、１ｅ間の横幅寸法が、ロッカーボタン５の板厚とその両側に位置するハウジング１の壁厚とを合せたものとなる。本実施例においては、ロッカーボタン５の板厚を約１ｍｍ、ハウジング１の壁厚も約１ｍｍとしているため、合計約３ｍｍの横幅寸法である。ハウジング１の上端開放口１ａの周囲にはフランジ１ｄが形成されており、その幅は約１ｍｍなので、この部分だけは横幅寸法は約５ｍｍである。
【００２２】
本実施例においては、ハウジング１及びロッカーボタン５のいずれをも合成樹脂で形成したため、強度、耐久性等を考慮してそれぞれの厚さ寸法を上記の通りとしたが、これらを全て適切に選択された金属で構成することにより、各部材の更なる薄肉化が可能であり、全体の横幅寸法を限りなく小型にすることができる。
【００２３】
次に、このロッカースイッチ１０の作動について説明する。
図１において、ロッカーボタン５は図中右回りに傾動させた状態にある。このとき、ロッカーボタン５の突出部５ｂの先端５ｃは可動接触片４の上側折曲片４ｃの上面を支点３ａよりも図中左側にスライドし、可動接触片４は支点３ａを中心として図中左回りにシーソー運動し、下側折曲片４ａの端部の可動接点４ｂは接触端子２の固定接点２ａから離反した状態となり、接触端子２と共通端子３との間の接続は切断される。
【００２４】
図４を参照して、図１とは逆にロッカーボタン５を図中左回りに傾動させたときの作動を説明する。ロッカーボタン５の突出部５ｂの先端５ｃは可動接触片４の上側折曲片４ｃの上面を支点３ａよりも図中右側にスライドし、可動接触片４は支点３ａを中心として図中右回りにシーソー運動し、下側折曲片４ａの端部の可動接点４ｂは接触端子２の固定接点２ａと接触した状態となり、接触端子２と共通端子３とが接続される。
【００２５】
図５は、実施例１におけるロッカーボタン５をレバータイプの切換操作部材に変更した実施例２に関する図１と同様な図を示す。ロッカーボタン５を板状の操作レバー１５に代えることによりレバースイッチ２０とした以外は、各構成部材の素材、内部構造、作動等は、実施例１のロッカースイッチ１０と全く同じである。操作レバー１５は、図示の通り、側面視で略半円形状の本体１５ａと、本体１５ａの外周縁の中央から外方への突出させたレバーハンドル１５ｂとからなる。本実施例においては、本体１５ａの側面視での形状を略半円形状としたが、これに限定されることなく、例えば、略三角形状等の任意の形状にすることができ、本体１５ａがその外周縁から外方へ突出させたレバーハンドル１５ｂを備えていればよい。
【００２６】
図６は、実施例１におけるロッカーボタン５を押ボタンタイプの切換操作部材に変更した実施例３に関する図１と同様な図である。この実施例の押ボタンスイッチ３０の切換操作部材は、左右両端２５ａ、２５ｂ及び下端２５ｃを有する側面視で略逆三角形状を呈し、傾動軸２５ｄを中心に傾動自在な板状の傾動盤２５と、該傾動盤２５の左端２５ａに凹部２６ａを介して係止したＯＮ用の板状の押ボタン２６と、傾動盤２５の右端２５ｂに凹部２７ａを介して係止したＯＦＦ用の板状の押ボタン２７とからなる。これらの押ボタンタイプの切換操作部材を構成する板状の部材２５，２６，２７は、同一平面上に並置されており、この平面は、図２の平面Ｐと同様の、ハウジング３１の中心軸を含む該ハウジングの側面と平行に延びる平面である。
【００２７】
この押ボタンスイッチ３０の作動について説明する。
図６において、ＯＦＦ用押ボタン２７を押し下げたことにより傾動盤２５を図中右回りに傾動させた状態にある。このとき、傾動盤２５の下端２５ｃは可動接触片２４の上側折曲片２４ｃの上面を支点２３ａよりも図中左側にスライドし、可動接触片２４は支点２３ａを中心として図中左回りにシーソー運動し、下側折曲片２４ａの端部の可動接点２４ｂは接触端子２２の固定接点２２ａから離反した状態となり、接触端子２２と共通端子２３との間の接続は切断される。
【００２８】
なお、以上に説明した、ロッカースイッチ１０のロッカーボタン５、レバースイッチ２０の操作レバー１５、押ボタンスイッチ３０の切換操作部材２５，２６，２７の図１、図５、図６に示された形状については種々の形態が考えられ、上述した具体例だけに限定されるものではない。
【符号の説明】
【００２９】
１０：ロッカースイッチ
１：ハウジング
２：接触端子
２ａ：固定接点
３：共通端子
３ａ：突起（支点）
４：可動接触片
４ｂ：可動接点
５：ロッカーボタン
２０：レバースイッチ
１５：操作レバー
１５ｂ：レバーハンドル
３０：押ボタンスイッチ
２５，２６，２７：切換操作部材
【図１】
0003205644.tif 000003
【図２】
0003205644.tif 000004
【図３】
0003205644.tif 000005
【図４】
0003205644.tif 000006
【図５】
0003205644.tif 000007
【図６】
0003205644.tif 000008